(57)【要約】      （修正有）【課題】容易にレール吊上げ器を移動させることができるレール吊上げ器用移動ローラーおよびレール吊上げ器を提供する。【解決手段】レールを吊上げるためのチェーンブロック２１を取り付けたレール吊上げ器２の２本の脚部２２それぞれの下端部に接続アタッチメント１１を介してローラー１２ａを支持したローラー支持体１２を回動可能に連結すると共に、接続アタッチメントの中間部とローラー支持体の中間部との間にスプリング１３を設け、接続アタッチメントを介し２本の脚部それぞれの下端部に接続したローラー支持体がスプリングによってトグル的に回動して、移動時にはローラーが２本の脚部下端それぞれの接地板２３から突出するように構成した。【選択図】図５
0003198410.tif 000002
【実用新案登録請求の範囲】
【請求項１】
レール等を吊上げるためのチェーンブロックを取り付けたレール吊上げ器の２本の脚部それぞれの下端部に取り付けられる接続アタッチメントと、
先端部側にローラーが回転可能に設けられる一方、基端部が接続アタッチメントに回動可能に連結されたローラー支持体と、
接続アタッチメントの中間部とローラー支持体の中間部との間を連結するスプリングとを備え、
レール吊上げ器の２本の脚部それぞれの下部に設けられた場合には、ローラー支持体がスプリングによって接続アタッチメントに対しトグル的に回動して、ローラーが脚部下端の接地部より下方へ突出するか、その接地部より上方へ位置するように構成したことを特徴とするレール吊上げ器用移動ローラー。
【請求項２】
請求項１記載のレール吊上げ器用移動ローラーにおいて、
前記ローラー支持体は、
ローラーの両側に設けられ当該ローラーを回転可能に支持する一対のローラー支持側板と、
その一対のローラー支持側板間に設けた中継板とを有し、
その中継板は、ローラー支持体がスプリングによって接続ユニットに対しトグル的に回動してローラーが脚部下端の接地部より下方へ突出した際、当該中継板の先端部が脚部下端の接地部の真下に入り込むように一対のローラー支持側板間に先端部を突出させて設けられていることを特徴とするレール吊上げ器用移動ローラー。
【請求項３】
請求項１または請求項２記載のレール吊上げ器用移動ローラーを２本の脚部それぞれの下端部に設けたことを特徴とするレール吊上げ器。
【考案の詳細な説明】
【技術分野】
【０００１】
本考案は、２本の脚部それぞれの下端部に取り付けるレール吊上げ器用移動ローラー、およびレール吊上げ器に関する。
【背景技術】
【０００２】
従来より、２本の脚部の上部にチェーンブロックを設け、このチェーンブロックによってレールを吊上げる各種のレール吊上げ器が提案されている（例えば、特許文献１〜４参照。）。
【先行技術文献】
【特許文献】
【０００３】
【特許文献１】特開２００６−０３７６９３号公報
【特許文献２】特開２０１２−２４６１０６号公報
【特許文献３】特開２０１３‐０４３７７１号公報
【特許文献４】特開２０１５−３４４３１号公報
【考案の概要】
【考案が解決しようとする課題】
【０００４】
しかしながら、前記特許文献１〜３に記載のレール吊上げ器は、ローラー等が設けられていないため、移動時には作業員がレール吊上げ器を担いで運搬する必要があり、運搬作業が大変であるという問題がある。
【０００５】
また、上述の特許文献４に記載のレール吊上げ器は、ローラーを設けているため、ローラーを設けていない特許文献１〜３に記載のレール吊上げ器よりは運搬作業が楽であるものの、レール吊上げ器を斜めに倒した状態でローラーをレール上で走行させて移動するため、その移動中、作業員が斜めに倒した状態のレール吊上げ器を支える必要があり、改善の余地があった。
【０００６】
そこで、本考案はこのような問題点に鑑みなされたもので、ローラーを使用してさらに容易にレール吊上げ器を移動させることができるレール吊上げ器用移動ローラーおよびレール吊上げ器を提供することを目的とする。
【課題を解決するための手段】
【０００７】
前記課題を解決するため、本考案に係るレール吊上げ器用移動ローラーは、レール等を吊上げるためのチェーンブロックを取り付けたレール吊上げ器の２本の脚部それぞれの下端部に取り付けられる接続アタッチメントと、先端部側にローラーが回転可能に設けられる一方、基端部が接続アタッチメントに回動可能に連結されたローラー支持体と、接続アタッチメントの中間部とローラー支持体の中間部との間を連結するスプリングとを備え、レール吊上げ器の２本の脚部それぞれの下部に設けられた場合には、ローラー支持体がスプリングによって接続アタッチメントに対しトグル的に回動して、ローラーが脚部下端の接地部より下方へ突出するか、その接地部より上方へ位置するように構成したことを特徴とする。
ここで、前記ローラー支持体は、ローラーの両側に設けられ当該ローラーを回転可能に支持する一対のローラー支持側板と、その一対のローラー支持側板間に設けた中継板とを有し、その中継板は、ローラー支持体がスプリングによって接続ユニットに対しトグル的に回動してローラーが脚部下端の接地部より下方へ突出した際、当該中継板の先端部が脚部下端の接地部の真下に入り込むように一対のローラー支持側板間に先端部を突出させて設けられていると良い。
また、本発明に係るレール吊上げ器は、上述のレール吊上げ器用移動ローラーを２本の脚部それぞれの下端部に設けたことを特徴とする。
【考案の効果】
【０００８】
本考案に係るレール吊上げ器用移動ローラーおよびレール吊上げ器によれば、レール吊上げ器の２本の脚部それぞれの下端部に接続アタッチメントを介してローラー支持体を回動可能に連結すると共に、その接続アタッチメントの中間部とローラー支持体の中間部との間にスプリングを設け、接続アタッチメントを介し２本の脚部それぞれの下端部に接続したローラー支持体がスプリングによってトグル的に回動することにより前記ローラーが２本の脚部下端の接地部より下方へ突出するか、引っ込むように構成したため、ローラーを使用してさらに容易にレール吊上げ器を移動させることができる。
【図面の簡単な説明】
【０００９】
【図１】本考案に係るレール吊上げ器用移動ローラーを両脚部に装着し、ローラー上げ状態のレール吊上げ器の正面図である。
【図２】図１におけるローラー上げ状態のレール吊上げ器の拡大正面図である。
【図３】本考案に係るレール吊上げ器用移動ローラーを両脚部に装着し、ローラー上げ状態のレール吊上げ器の側面図である。
【図４】図２におけるローラー上げ状態のレール吊上げ器の拡大側面図である。
【図５】本考案に係るレール吊上げ器用移動ローラーを両脚部に装着し、ローラー下げ状態のレール吊上げ器の正面図である。
【図６】図５におけるローラー下げ状態のレール吊上げ器の拡大正面図である。
【図７】本考案に係るレール吊上げ器用移動ローラーを両脚部に装着し、ローラー下げ状態のレール吊上げ器の側面図である。
【図８】図２におけるローラー下げ状態のレール吊上げ器の拡大側面図である。
【図９】本考案に係るレール吊上げ器用移動ローラーの正面図である。
【図１０】本考案に係るレール吊上げ器用移動ローラーの平面図である。
【図１１】本考案に係るレール吊上げ器用移動ローラーの左側面図である。
【図１２】本考案に係るレール吊上げ器用移動ローラーの右側面図である。
【図１３】（ａ），（ｂ）それぞれ本考案に係るレール吊上げ器用移動ローラーを構成する接続アタッチメントの平面図、正面図である。
【図１４】（ａ）〜（ｃ）それぞれ本考案に係るレール吊上げ器用移動ローラーを構成するローラー支持部の正面図、平面図、左側面図である。
【図１５】本考案に係るレール吊上げ器を使用してレールを掴んだ状態を示す正面図である。
【図１６】本考案に係るレール吊上げ器を使用してレールを吊上げた状態を示す正面図である。
【図１７】本考案に係るレール吊上げ器を移動する際の状態を示す正面図である。
【図１８】本考案に係るレール吊上げ器を移動する際の状態を示す側面図である。
【考案を実施するための形態】
【００１０】
次に、本考案に係るレール吊上げ器用移動ローラー、およびレール吊上げ器の実施の形態について説明する。
【００１１】
本考案に係るレール吊上げ器用移動ローラー１は、図１〜図８に示すように、レール吊上げ器２の２本の脚部２２，２２それぞれの下端部に装着するもので、図９〜図１２に示すように接続アタッチメント１１と、ローラー１２ａを回転可能に支持したローラー支持体１２と、接続アタッチメント１１の中間部とローラー支持体１２の中間部との間に連結されるスプリング１３とを備える。
【００１２】
＜レール吊上げ器２の構成＞
レール吊上げ器２は、図１〜図８に示すように、２本の脚部２２，２２の上部にチェーンブロック２１を備えたものである。
【００１３】
チェーンブロック２１は、回転ハンドル２１ａを回転させることによりチェーン２１ｂを巻き上げたり、あるいは送り出して、チェーン２１ｂ先端のレールキャッチ２１ｃによりレールＲ等を把持して昇降させるものである。
【００１４】
２本の脚部２２，２２は、レール吊上げ器２を支持するもので、それぞれ、断面が四角の鋼管等から構成されており、下部には地面に接地する接地部である接地板２３，２３と、脚部２２，２２と接地板２３，２３との間に接合される補強板２４，２４とを有する。また脚部２２，２２の上部には、それぞれ、移動時や作業時に作業者が掴む把持部２５，２５が設けられている。
【００１５】
＜レール吊上げ器用移動ローラー１の構成＞
接続アタッチメント１１は、図１３（ａ），（ｂ）に示すように、ローラー支持体１２の基部を回転可能に支持する平面視コ字状のチャネル部材１１ａの背板部１１ａ１に、脚部２２の幅で離間した一対の脚部挟持板１１ｂ，１１ｂを設けて構成される。
【００１６】
チャネル部材１１ａの側板部１１ａ２，１１ａ２には、それぞれ、図１３（ａ），（ｂ）に示すように、ローラー支持体１２の基部を回転可能に支持するためのボルト３ａ（図２や図６、図９〜図１２等参照。）が挿入されナット４ｂで締結されるボルト孔１１ａ２１，１１ａ２１が設けられている。
【００１７】
脚部挟持板１１ｂ，１１ｂは、それぞれ、図１３（ａ），（ｂ）に示すように、スプリング１３の一端が連結されるスプリング係止第１ボルト３ｂ（図２や図６、図９〜図１２等参照。）が挿入されるボルト孔１１ｂ１と、脚部２２の下端部に装着した脚部挟持板１１ｂ，１１ｂを固定ボルト３ｃおよびナット４ｃ（図２や図６、図９〜図１２等参照。）により締付けて固定するための固定用ボルト孔１１ｂ２，１１ｂ２が設けられている。尚、この固定用ボルト孔１１ｂ２，１１ｂ２は、図１３（ａ），（ｂ）に示すように脚部２２の下端部の太さや幅等に応じて複数列設けても良いし、図示しないが１列でも、あるいは脚部挟持板１１ｂ，１１ｂそれぞれ１箇所だけ設けるようにしても良い。
【００１８】
ローラー支持体１２は、レールＲの上を走行するローラー１２ａを回転可能に支持するもので、図１４（ａ）〜（ｃ）に示すように、ローラー１２ａの両側を回転可能に支持する一対のローラー支持側板１２ｂ，１２ｂと、その一対のローラー支持側板１２ｂ，１２ｂ間に設けた中継板１２ｃとを有し、図１４（ｃ）に示すように側面視Ｈ字形状に構成されている。
【００１９】
一対のローラー支持側板１２ｂ，１２ｂには、図１４（ａ）に示すように、それぞれ、接続アタッチメント１１と回転可能に連結するためボルト３ａ（図２や図６、図９〜図１２等参照。）が挿入されるボルト孔１２ｂ１，１２ｂ１と、スプリング１３の他端が連結されるスプリング係止第２ボルト３ｄ（図２や図６、図９〜図１２等参照。）が挿入されるボルト孔１２ｂ２，１２ｂ２と、ローラー１２ａを回転可能に支持するローラー支持ボルト３ｅ（図２や図６、図９〜図１２等参照。）が挿入されるローラー支持ボルト孔１２ｂ３，１２ｂ３等が設けられている。
【００２０】
中継板１２ｃは、ローラー支持体１２がスプリング１３によって接続ユニット１１に対しトグル的に回動してローラー１２ａが脚部２２の接地板２３より下方へ突出した際、当該中継板１２ｃの先端部１２ｃ１が脚部２２の接地板２３の真下に入り込むように、一対のローラー支持側板１２ｂ，１２ｂ間に当該ローラー支持側板１２ｂ，１２ｂの側端面よりも先端部１２ｃ１を、図１４（ａ），（ｂ）に示すように右方に突出させている。
【００２１】
スプリング１３は、ローラー支持体１２がスプリング１３によって接続ユニット１１に対しトグル的に回動するように、その一端は接続アタッチメント１１の各脚部挟持板１１ｂ，１１ｂの中間部であるボルト孔１１ｂ１に挿入されるスプリング係止第１ボルト３ｂ（図２や図６、図９〜図１２等参照。）に連結される一方、他端はローラー支持体１２の各ローラー支持側板１２ｂ，１２ｂに設けられたボルト孔１２ｂ２，１２ｂ２に挿入されるスプリング係止第２ボルト３ｄ（図２や図６、図９〜図１２等参照。）に連結される。
【００２２】
＜本実施形態のレール吊上げ器用移動ローラー１の動作＞
次に本実施形態のレール吊上げ器用移動ローラー１の動作について説明する。
【００２３】
レール吊上げ器用移動ローラー１を２本の脚部２２，２２それぞれの下端部に装着したレール吊上げ器５２は、レール吊上げ器２を使用してレールＲ等を吊上げる場合には、移動させる必要がないため、図１や図１５に示すように、ローラー支持体１２を上げておく。そのため、ローラー１２ａは、図１や図１５に示すように、レール吊上げ器２の脚部２２の接地板２３より下方へ突出しない。
【００２４】
そのため、図１５に示すように、レール吊上げ器２の脚部２２，２２それぞれの接地板２３，２３が、吊上げ用とするレールＲ両側の地面に着くので、チェーンブロック２１のレールキャッチ２１ｃで吊上げ用とするレールＲをキャッチさせて、チェーンブロック２１の回転ハンドル２１ａを回転させると、図１６に示すようにレールＲを吊上げることができる。
【００２５】
そして、レールＲの吊上げ作業が終了し、レール吊上げ器２を移動する場合には、図５〜図８に示すようにローラー支持体１２を下げる。
【００２６】
すると、ローラー１２ａは、レール吊上げ器２の脚部２２の接地板２３より下方へ突出するので、図１７および図１８に示すようにそのローラー１２ａを軌道上に敷設されているレールＲ’の上を走行させ、次のレールＲの吊上げ作業場所へ移動する。これにより、作業者はレール吊上げ器２を担ぐ等することなく、軌道上のレールＲ’上を転がしてレール吊上げ器２を移動させることができる。
【００２７】
以上説明したように、本考案に係るレール吊上げ器用移動ローラー１およびレール吊上げ器２によれば、レール吊上げ器２の２本の脚部２２，２２それぞれの下端部に接続アタッチメント１１を介してローラー支持体１２を回動可能に連結すると共に、その接続アタッチメント１１の中間部とローラー支持体１２の中間部との間にスプリング１３を設け、接続アタッチメント１１を介し２本の脚部２２，２２それぞれの下端部に接続したローラー支持体１２がスプリング１３によってトグル的に回動することにより前記ローラー１２ａが２本の脚部２２，２２それぞれの下端部から突出するか、引っ込むように構成したため、ローラー１２ａを使用してさらに容易にレール吊上げ器２を移動させることができる。
【００２８】
また、レール吊上げ器２の移動時に、レール吊上げ器用移動ローラー１をレール吊上げ器２の脚部２２，２２に固定するボルト３ｃおよびナット４ｃの締結が緩み、レール吊上げ器２の重量によってレール吊上げ器２がレール吊上げ器用移動ローラー１からズレ下がろうとしても、中継板１２ｃの先端部１２ｃ１が脚部２２の接地板２３の真下に入り込んでいるため、レール吊上げ器２のズレ下がりを確実に防止できる。
【００２９】
尚、上記実施形態の説明では、レール吊上げ器２の脚部２２，２２それぞれに本考案に係る実施形態のレール吊上げ器用移動ローラー１をボルト３ｃおよびナット４ｃにより後付け、すなわち着脱可能に取り付けて説明したが、本発明では、これに限らず、レール吊上げ器２の脚部２２にボルト３ｃおよびナット４ｃ等を使用せずにレール吊上げ器用移動ローラー１の接続アタッチメント１１を溶接等して、レール吊上げ器用移動ローラー１を取外し不可状態に設けるように構成しても勿論良い。
【符号の説明】
【００３０】
１  レール吊上げ器用移動ローラー
１１  接続アタッチメント
１２  ローラー支持体
１２ａ  ローラー
１２ｂ，１２ｂ  ローラー支持側板
１２ｃ  中継板
１２ｃ１  先端部
１３  スプリング
２  レール吊上げ器
２１  チェーンブロック
２１ａ  回転ハンドル
２１ｂ  チェーン
２１ｃ  レールキャッチ
２２  脚部
２３  接地板（接地部）
２４  補強板
２５  把持部
【図１】
0003198410.tif 000003
【図２】
0003198410.tif 000004
【図３】
0003198410.tif 000005
【図４】
0003198410.tif 000006
【図５】
0003198410.tif 000007
【図６】
0003198410.tif 000008
【図７】
0003198410.tif 000009
【図８】
0003198410.tif 000010
【図９】
0003198410.tif 000011
【図１０】
0003198410.tif 000012
【図１１】
0003198410.tif 000013
【図１２】
0003198410.tif 000014
【図１３】
0003198410.tif 000015
【図１４】
0003198410.tif 000016
【図１５】
0003198410.tif 000017
【図１６】
0003198410.tif 000018
【図１７】
0003198410.tif 000019
【図１８】
0003198410.tif 000020